(57)【要約】【課題】光源の導光手段に対する位置を調整して、光源からの光を有効に利用することができる光学ピックアップ装置を提供する。【解決手段】光源２５が光源保持部２０によって保持され、導光手段１４が導光手段保持部２１によって保持される。ハウジング１２の変形部２２が、調整ねじ部材１６によって変形され、これによって光源保持部２０と導光手段保持部２１とが相対的に角変位される。光源保持部２０の導光手段保持部２１に対する位置が調整されることによって、光源２５の導光手段１４のコリメートレンズ３５に対する位置が調整される。これによって光源２５からの光の光軸Ｌ２５を、コリメートレンズ３５の軸線Ｌ３５と一致させることができる。【選択図】      図１
2004253094.tif 000002
【特許請求の範囲】
【請求項１】
記録媒体に光を照射することによって、記録媒体に対して情報を記録または再生するための光学ピックアップ装置であって、
光源と、
光源からの光を記録媒体に導く導光手段と、
光源が保持される光源保持部、導光手段が保持される導光手段保持部、および光源保持部と導光手段保持部とが相対的に角変位するように変形可能な変形部を有するハウジングと、
光源保持部および導光手段保持部が相対的に角変位するようにハウジングの変形部を変形させる変形手段とを含むことを特徴とする光学ピックアップ装置。
【請求項２】
光源は、ハウジングの光源保持部に対して位置調整可能に保持されることを特徴とする請求項１記載の光学ピックアップ装置。
【請求項３】
前記変形手段は、光源保持部および導光手段保持部にわたって設けられ、回動することによって変形部を変形させるねじ部材であり、
ハウジングの光源保持部には、前記ねじ部材によって弾性変形部材が保持され、
光源は、光源保持部と弾性変形部材とによって弾発的に挟持されて保持されることを特徴とする請求項１または２記載の光学ピックアップ装置。
【請求項４】
変形部は、光源を中心に対称に形成されることを特徴とする請求項１〜３のいずれかに記載の光学ピックアップ装置。
【請求項５】
変形部は、光源を挟んで両側の２カ所に形成されることを特徴とする請求項１〜３のいずれかに記載の光学ピックアップ装置。
【請求項６】
変形部は、応力が集中する小径部分が形成されることを特徴とする請求項１〜５のいずれかに記載の光学ピックアップ装置。
【請求項７】
変形部および変形手段は、前記角変位の軸線に垂直な方向に並んで配置されることを特徴とする請求項１〜６のいずれかに記載の光学ピックアップ装置。
【請求項８】
ハウジングには、変形部近傍に接着剤を充填可能な凹所が形成されることを特徴とする請求項１〜７のいずれかに記載の光学ピックアップ装置。
【請求項９】
請求項１〜８のいずれかに記載の光学ピックアップ装置が搭載されることを特徴とする電子機器。
【発明の詳細な説明】
【０００１】
【発明の属する技術分野】
本発明は、記録媒体に対して、情報の記録または再生を光学的に行うための光学ピックアップ装置に関する。
【０００２】
【従来の技術】
図１８は、第１の従来技術の光学ピックアップ装置１を示す正面図である。図１９は、ハウジング２の一部を切欠いて示す断面図である。図２０は、光学ピックアップ装置１を光源４側から見て示す平面図である。図２１は、図１８のセクションＳ２１を拡大して示す分解平面図である。従来技術の光学ピックアップ装置では、コリメートレンズが設けられるハウジングの一側部に、光源が設けられる。光源は、ハウジングに対してスライド変位されて、コリメートレンズに対する位置が調整される（たとえば特許文献１参照）。
【０００３】
図１８〜図２１に示す第１の従来技術の光学ピックアップ装置１では、ハウジング２の一側部２ａに、光源４が当接されて設けられる。光源４からの光は、光源４に対向するコリメートレンズ３に入射される。光源４は、一側部２ａの光源４に対向する一表面に平行な平面において、第１方向Ａおよび第２方向Ｂを含む２次元座標系を設定し、この座標系に基づいて変位される。このように光源４は、そのコリメートレンズ３に対する位置が調整された後に、一側部２ａに固定される。
【０００４】
図２２は、第２の従来技術の光学ピックアップ装置５を示す正面図である。図２３は、ハウジング６の一部を切欠いて示す断面図である。図２４は、光学ピックアップ装置５を光源７側から見て示す平面図である。図２５は、図２１のセクションＳ２５を拡大して示す分解平面図である。第２の従来技術の光学ピックアップ装置５では、光源７は、ハウジング６の一側部６ａに当接される。光源７は、一側部６ａに対して、第１方向Ａおよび第２方向Ｂへの変位に加えて、第１および第２方向Ａ，Ｂに垂直な軸線まわりに角変位される。このように光源７は、そのコリメートレンズ３に対する位置が調整された後に、一側部６ａに固定される。
【０００５】
【特許文献１】
特開２０００−４０２５０号公報
【０００６】
【発明が解決しようとする課題】
前述の第１および第２の従来技術の光学ピックアップ装置１，５では、光源が２次元座標系における平面内で変位される。この構成では、ハウジングの一側部と光源との取付け面の加工精度、および光源の放射角度などのばらつきによって、光の光軸がコリメートレンズの軸線に対して傾斜する場合には、両者が一致するように調整することができない。これによって光の強度が高い部分、すなわち光軸が通る部分を有効に利用することができずに、結合効率が低下する。
【０００７】
本発明の目的は、光源の導光手段に対する位置を調整して、光源からの光を有効に利用することができる光学ピックアップ装置を提供することである。
【０００８】
【課題を解決するための手段】
本発明は、記録媒体に光を照射することによって、記録媒体に対して情報を記録または再生するための光学ピックアップ装置であって、
光源と、
光源からの光を記録媒体に導く導光手段と、
光源が保持される光源保持部、導光手段が保持される導光手段保持部、および光源保持部と導光手段保持部とが相対的に角変位するように変形可能な変形部を有するハウジングと、
光源保持部および導光手段保持部が相対的に角変位するようにハウジングの変形部を変形させる変形手段とを含むことを特徴とする光学ピックアップ装置である。
【０００９】
本発明に従えば、光源からの光を、導光手段によって記録媒体に導いて照射することによって、記録媒体に対して、情報が記録され、または再生される。光源は、ハウジングの光源保持部によって保持される。導光手段は、ハウジングの導光手段保持部によって保持される。ハウジングは、変形部を有し、この変形部は、光源保持部および導光手段保持部が相対的に角変位するように、変形手段によって変形される。
【００１０】
変形手段によって変形部を変形させると、光源保持部および導光手段が、相対的に角変位する。この角変位によって光源が、導光手段保持部、すなわち導光手段に対して角変位されるので、光の光軸を、導光手段に対して角変位させることができる。これによって前記光軸が通る光の強度の最も高い部分を有効に利用することができる。したがって結合効率を向上することができるとともに、たとえば強度分布が一様など品位のあるスポットと、最良のジッター値とを得ることができる。
【００１１】
また本発明は、光源は、ハウジングの光源保持部に対して位置調整可能に保持されることを特徴とする。
【００１２】
本発明に従えば、光源は、ハウジングの光源保持部に対して位置調整可能に保持される。これによって万一、光軸と導光手段の軸線とが平行であるけれども、一致しない場合であっても、光源を光源保持部に対して位置調整することによって、確実に一致させることができる。また光源の光源保持部に対する位置調整と、光源の導光手段保持部に対する位置調整とを、相互に独立して行うことができる。これによって必要に応じて、光源の位置調整を行うことができる。さらに光源保持部および導光手段保持部のいずれか一方に対して、光源の位置を調整するときに、光源の他方に対する位置がずれるなどの不具合を解消することができる。
【００１３】
また本発明は、前記変形手段は、光源保持部および導光手段保持部にわたって設けられ、回動することによって変形部を変形させるねじ部材であり、
ハウジングの光源保持部には、前記ねじ部材によって弾性変形部材が保持され、
光源は、光源保持部と弾性変形部材とによって弾発的に挟持されて保持されることを特徴とする。
【００１４】
本発明に従えば、前記変形手段は、光源保持部および導光手段保持部にわたって設けられ、回動することによって変形部を変形させるねじ部材である。ハウジングの光源保持部には、弾性変形部材が、ねじ部材である変形手段によって保持される。光源保持部と弾性変形部材とは、光源を弾発的に挟持して保持する。これによって光源の光源保持部に対する位置調整と、光源保持部の導光手段保持部に対する位置調整、すなわち光源の導光手段保持部に対する位置調整とを、簡単な構成で実現することができる。
【００１５】
また本発明は、変形部は、光源を中心に対称に形成されることを特徴とする。
本発明に従えば、変形部は、光源を中心に対称に形成される。これによって光源の導光手段保持部に対する位置を調整する場合に、変形部が光源を中心に対称に形成されない場合に比べて、光源の導光手段保持部に対する変位量を小さくすることができる。したがってハウジングの変形に伴う光源の導光手段に対する位置調整を、容易に実現することができる。
【００１６】
また本発明は、変形部は、光源を挟んで両側の２カ所に形成されることを特徴とする。
【００１７】
本発明に従えば、変形部は、光源を挟んで両側の２カ所に形成される。これによって光源のハウジングに対する位置を、２つの変形部を結ぶ一直線まわりに変化させることができる。したがって簡単な構成で、光源からの光の光軸を、導光手段に対して変位させることができる。
【００１８】
また本発明は、変形部は、応力が集中する小径部分が形成されることを特徴とする。
【００１９】
本発明に従えば、変形部は、応力が集中する小径部分が形成される。これによって変形部を小さな力で変形させて、光源の導光手段に対する位置を調整することができる。
【００２０】
また本発明は、変形部および変形手段は、前記角変位の軸線に垂直な方向に並んで配置されることを特徴とする。
【００２１】
本発明に従えば、変形部および変形手段が、前記角変位の軸線に垂直な方向に並んで配置されるので、光源保持部と導光手段保持部とを相対的に角変位させるときに、変形部を除く部分の変形を可及的に小さくし、かつ小さな力で変形部を変形させることができる。
【００２２】
また本発明は、ハウジングには、変形部近傍に接着剤を充填可能な凹所が形成されることを特徴とする。
【００２３】
本発明に従えば、ハウジングには、変形部近傍に接着剤を充填可能な凹所が形成される。これによって変形部を変形させて、光源の導光手段に対する位置を調整した後に、変形部を接着剤によって確実に固定することができる。したがって光源の導光手段に対する位置がずれるなどの不具合を解消することができる。
【００２４】
また本発明は、前記光学ピックアップ装置が搭載されることを特徴とする電子機器である。
【００２５】
本発明に従えば、電子機器には、前述の光学ピックアップ装置が搭載される。これによって利便性の高い光学ピックアップ装置を備える電子機器を実現することができる。
【００２６】
【発明の実施の形態】
図１は、本発明の実施の一形態である光学ピックアップ装置１０を示す正面図である。図２は、光学ピックアップ装置１０の一部を切欠いて示す断面図である。図３は、光学ピックアップ装置１０の一部をレーザユニット１３側から見て示す平面図である。光学ピックアップ装置１０は、たとえばコンパクトディスク（Ｃｏｍｐａｃｔ  Ｄｉｓｃ；略称ＣＤ）およびデジタルバーサタイルディスク（Ｄｉｇｉｔａｌ  Ｖｅｒｓａｔｉｌｅ  Ｄｉｓｃ；略称ＤＶＤ）などの記録媒体（図２参照）１１に光を照射することによって、記録媒体１１に対して情報を記録または再生するための装置である。光学ピックアップ装置１０は、たとえばパーソナルコンピュータなどの電子機器（図示せず）に搭載される。光学ピックアップ装置１０は、ハウジング１２、レーザユニット１３、導光手段１４、アクチュエータ１５、調整ねじ部材１６および板ばね部材１７を含んで構成される。
【００２７】
ハウジング１２には、レーザユニット１３、導光手段１４、アクチュエータ１５、調整ねじ部材１６および板ばね部材１７が設けられる。ハウジング１２は、記録媒体１１に対向して設けられる。ハウジング１２は、記録媒体１１に対して、情報の記録および再生可能な情報記録領域を走査可能に設けられる。ハウジング１２は、たとえば金属材料および合成樹脂などから成る。ハウジング１２は、光源保持部２０、導光手段保持部２１および変形部２２を有する。
【００２８】
光源保持部２０は、後述する光源２５を保持する。導光手段保持部２１は、導光手段１４を保持する。変形部２２は、光源保持部２０と導光手段保持部２１との間に配置され、光源保持部２０と導光手段保持部２１とが相対的に角変位するように変形可能に設けられる。光源保持部２０、導光手段保持部２１および変形部２２は、それぞれ別体に形成されてもよいし、一体に形成されてもよい。
【００２９】
レーザユニット１３は、光を出射するための手段であり、光源保持部２０に設けられる。レーザユニット１３は、光源２５、受光素子２６、ステム２７、キャップ２８およびレーザホルダ２９を有する。光源２５は、光を発し、たとえば半導体レーザによって実現される。受光素子２６は、記録媒体１１からの光を受光し、その受光結果を電気情報に変換するための手段であり、たとえばフォトダイオードによって実現される。光源２５および受光素子２６は、ステム２７に設けられる。
【００３０】
基部であるステム２７には、キャップ２８が設けられる。光源２５および受光素子２６は、ステム２７に設けられる状態で、ステム２７およびキャップ２８に外囲される。キャップ２８外部には、後述する導光手段１４のホログラム３０が設けられる。レーザホルダ２９には、大略的に有底筒状である。レーザホルダ２９には、底部を貫通する貫通孔が形成される。レーザホルダ２９にキャップ２８が挿通される状態で、ホログラム３０が貫通孔に挿通されて外方に臨む。またレーザホルダ２９には、側部を貫通するねじ孔が形成される。
【００３１】
レーザホルダ２９のねじ孔には、内ねじが形成され、ねじ部材が螺着される。キャップ２８は、ねじ部材によってレーザホルダ２９の内周部に当接されて、レーザホルダ２９に保持される。キャップ２８は、たとえば操作者がねじ部材を操作することによって、内周部に沿って変位可能であり、これによって光源２５とコリメートレンズ３５とにわたる光路において、光の光軸Ｌ２５がコリメートレンズ３５に対して変位される。以下、光軸Ｌ２５と表記する場合、光源２５と光源２５に対向するレンズ、本実施の形態ではコリメートレンズ３５とにわたる光路における光の光軸を意味する。キャップ２８とレーザホルダ２９とは、光源２５のコリメートレンズ３５に対する位置を調整した後に、接着剤４９によって相互に固定される。
【００３２】
ステム２７のキャップ２８と反対側の一側部には、１または複数の端子３１が突出して設けられる。各端子３１は、基板パターン樹脂３２に形成される導通ランドに半田付けされることによって、基板パターン樹脂３２に電気的に接続される（以下、「基板パターン樹脂３２」を、「ＦＰＣ３２」と表記する場合がある）。ＦＰＣ３２には、光学ピックアップ装置１０の動作を制御する動作回路が形成される。
【００３３】
レーザユニット１３からの光は、導光手段１４に入射される。導光手段１４は、光源２５からの光を記録媒体１１に導く。具体的には導光手段１４は、レーザユニット１３から出射される光を記録媒体１１に導くとともに、記録媒体１１から反射される光をレーザユニット１３に導く。導光手段１４は、ホログラム３０、コリメートレンズ３５、立上げミラー３６および対物レンズ３７を有する。
【００３４】
ホログラム３０は、光源２５に対向して設けられる。コリメートレンズ３５および立上げミラー３６は、導光手段保持部２１に保持される。コリメートレンズ３５は、ホログラム３０に対向して設けられる。立上げミラー３６は、コリメートレンズ３５および対物レンズ３７に対向して設けられる。対物レンズ３７は、後述するアクチュエータ１５に保持され、記録媒体１１および立上げミラー３６に対向して設けられる。
【００３５】
アクチュエータ１５は、ハウジング１２、具体的には導光手段保持部２１に対して、フォーカシング方向に変位可能に、かつトラッキング方向に変位可能に支持される。フォーカシング方向は、記録媒体１１の軸線方向に平行な方向である。トラッキング方向は、記録媒体１１の情報記録領域を走査する方向、すなわち半径方向に平行な方向である。アクチュエータ１５がハウジング１２に対してフォーカシング方向およびトラッキング方向に変位することによって、対物レンズ３７が記録媒体１１に対して変位される。これによってレーザユニット１３からの光が、記録媒体１１の所望の位置に照射される。
【００３６】
レーザユニット１３から出射される光は、コリメートレンズ３５によって平行光にされ、立上げミラー３６によって対物レンズ３７に導かれる。対物レンズ３７を透過した光は、集光されて記録媒体１１に照射される。対物レンズ３７は、記録媒体１１に照射するにあたって、アクチュエータ１５によって、記録媒体１１の情報記録面で焦点を結ぶように、変位駆動されている。記録媒体１１からの光は、対物レンズ３７、立上げミラー３６およびコリメートレンズ３５によって、レーザユニット１３に導かれる。レーザユニット１３に導かれた光は、ホログラム３０によって回折されて受光素子２６に導かれる。受光素子２６は、ホログラム３０からの光を受光して、その受光結果を電気情報に変換する。受光素子２６による電気情報に基づいて、ＦＰＣ３２が光学ピックアップ装置１０の動作を制御する。
【００３７】
変形手段である調整ねじ部材１６は、光源保持部２０および導光手段保持部２１が相対的に角変位するように、ハウジング１２の変形部２２を変形させる。調整ねじ部材１６は、光源保持部２０および導光手段保持部２１にわたって設けられる。調整ねじ部材１６は、具体的には、外ねじが形成され、回動することによって変形部２２を変形させるねじ部材である。弾性変形部材である板ばね部材１７は、調整ねじ部材１６によって光源保持部２０に保持される。板ばね部材１７は、レーザユニット１３に関して光源保持部２０と反対側に配置される。板ばね部材１７は、光源保持部２０と協働して、レーザユニット１３を弾発的に挟持する。
【００３８】
図４は、図１のセクションＳ４を拡大して示す分解平面図である。図５は、図１の切断面線Ｓ５−Ｓ５から見た断面図である。図６は、図４の切断面線Ｓ６−Ｓ６から見た断面図である。導光手段保持部２１は、レーザユニット１３とコリメートレンズ３５との間に配置される一側部２１ａを有する。導光手段保持部２１の一側部２１ａには、開口部４０が形成される。開口部４０は、一側部２１ａから第１幅方向Ｄ一方側に向けて没入するとともに、ハウジング１２を厚み方向Ｃに貫通する。
【００３９】
第１幅方向Ｄは、導光手段１４の各種のレンズのうち、光源２５に対向するレンズの軸線に平行な方向であり、本実施の形態では、コリメートレンズ３５の軸線Ｌ３５に平行な方向である。開口部４０は、レーザホルダ２９を挿通可能な程度に形成される。また開口部４０には、レーザユニット１３とコリメートレンズ３５と導かれる光が遮られないように、第１幅方向Ｄに貫通する透孔が形成される。
【００４０】
導光手段保持部２１の一側部２１ａには、複数の変形部２２、すなわち第１変形部２２ａおよび第２変形部２２ｂが形成される。第１および第２変形部２２ａ，２２ｂは、光源２５を挟んで両側の２カ所に形成されるとともに、光源２５を中心に対称に形成される。第１および第２変形部２２ａ，２２ｂは、光源２５を第２幅方向Ｅ両側から挟む位置に配置される。第２幅方向Ｅは、ハウジング１２の厚み方向Ｃと第１幅方向Ｄとに垂直な方向である。また第１および第２変形部２２ａ，２２ｂは、第１幅方向Ｄに平行な軸線をそれぞれ有する。第１および第２変形部２２ａ，２２ｂの軸線は、厚み方向Ｃに垂直な平面に含まれる。以下、第１変形部２２ａおよび第２変形部２２ｂのうち少なくともいずれか１つを指すとき、単に「変形部２２」と表記する場合がある。
【００４１】
導光手段保持部２１の一側部２１ａには、調整ねじ孔４１が形成される。調整ねじ孔４１は、第２幅方向Ｅに関して変形部２２よりも開口部４０から離れた位置に配置される。調整ねじ孔４１は、一側部２１ａから第１幅方向Ｄ一方側に没入し、内ねじが形成される。調整ねじ孔４１は、第１および第２変形部２２ａ，２２ｂの軸線を含む平面に関して、厚み方向Ｃ一方側に形成される。本実施の形態では、調整ねじ孔４１は、第１および第２変形部２２ａ，２２ｂの軸線を含む平面よりも記録媒体１１に形成される。調整ねじ孔４１には、調整ねじ部材１６が螺着される。
【００４２】
光源保持部２０は、第１光源保持部２０ａおよび第２光源保持部２０ｂを有する。第１および第２光源保持部２０ａ，２０ｂは、光源２５を挟む位置に配置される。第１光源保持部２０ａは、導光手段保持部２１の一側部２１ａに臨む状態で、第１変形部２２ａによって導光手段保持部２１に連結される。第１光源保持部２０ａには、係止ねじ孔４２が形成される。係止ねじ孔４２は、第１幅方向Ｄ一方側に向けて没入し、内ねじが形成される。この係止ねじ孔４２には、板ばね部材１７を保持するための係止ねじ部材４３が螺着される。
【００４３】
第２光源保持部２０ｂは、導光手段保持部２１の一側部２１ａに臨む状態で、第２変形部２２ｂによって導光手段保持部２１に連結される。第２光源保持部２０ｂには、逃げ孔４４が形成される。逃げ孔４４は、軸線方向および周方向に沿った周縁部を有する円形状であり、第２光源保持部２０ｂを貫通する。逃げ孔４４は、調整ねじ孔４１に対向し、調整ねじ部材１６の外径よりも大きな内径を有する。この逃げ孔４４には、調整ねじ部材１６が挿通される。
【００４４】
第１および第２光源保持部２０ａ，２０ｂは、レーザユニット１３を挿通可能な程度に、相互に間隔をあけて配置される。第１および第２光源保持部２０ａ，２０ｂは、レーザユニット１３は、光源保持部２０に関して導光手段保持部２１と反対側から、第１および第２光源保持部２０ａ，２０ｂ間に挿通されるとともに、一側部２１ａの開口部４０に挿通される。以下、第１光源保持部２０ａおよび第２光源保持部２０ｂのうち少なくともいずれか１つを指すとき、単に「光源保持部２０」と表記する場合がある。
【００４５】
板ばね部材１７は、第１光源保持部２０ａと第２光源保持部２０ｂとにわって延びて配置される板状である。板ばね部材１７の略中央部には、板ばね部材１７を貫通する透孔が形成される。この透孔には、レーザユニット１３の端子３１が挿通される。板ばね部材１７の第１光源保持部２０ａに対向する部分には、透孔が形成され、この透孔に、係止ねじ部材４３が挿通される。また板ばね部材１７の第２光源保持部２０ｂに対向する部分には、透孔が形成され、この透孔に、調整ねじ部材１６が挿通される。
【００４６】
板ばね部材１７は、調整ねじ部材１６および係止ねじ部材４３によって第１および第２光源保持部２０ａ，２０ｂに保持される。図１〜図６の例では、板ばね部材１７は、調整ねじ部材１６および係止ねじ部材４３に加えて、ねじ部材４８ａ，４８ｂによって光源保持部２０に保持される。板ばね部材１７は、光源保持部２０と協働して、レーザユニット１３を弾発的に挟持する。レーザユニット１３は、板ばね部材１７と光源保持部２０とによって挟持される状態で、第１および第２光源保持部２０ａ，２０ｂに当接される。レーザユニット１３は、第１および第２光源保持部２０ａ，２０ｂに当接される状態で、コリメートレンズ３５の軸線Ｌ３５に略垂直な一仮想平面に沿って変位される。前記用語「略垂直」は、垂直を含む。
【００４７】
本実施の形態では、前記一仮想平面において、相互に直交するＸ軸およびＹ軸を有する２次元座標系を設定し、この２次元座標系に基づいて、レーザユニット１３の光源保持部２０に対する位置が調整される。前記Ｘ軸は、第２幅方向Ｅに略平行であり、前記Ｙ軸は、ハウジング１２の厚み方向Ｃに平行である。前記用語「略平行」は、平行を含む。レーザユニット１３が光源保持部２０に対して変位されることによって、コリメートレンズ３５の軸線Ｌ３５が光源２５を通るように、光源２５のコリメートレンズ３５に対する位置を調整することができる。
【００４８】
前記調整ねじ部材１６は、光源保持部２０と導光手段保持部２１とにわたって設けられる状態で、第１および第２変形部２２ａ，２２ｂの軸線を含む平面に関して、ハウジング２１の厚み方向Ｃ一方側に配置される。換言すると調整ねじ部材１６は、第１および第２変形部２２ａ，２２ｂの軸線を含む平面よりも記録媒体１１寄りに配置される。このように構成される調整ねじ部材１６を回動させることによって、第１および第２光源保持部２０ａ，２０ｂを導光手段保持部２１に対して角変位させる。
【００４９】
また変形部２２には、応力が集中する小径部分４５が形成される。光源保持部２０と導光手段保持部２１とが調整ねじ部材１６によって相対的に角変形されるときに、第１変形部２２ａには、応力が集中する小径部分４５ａが形成され、第２変形部２２ｂには、応力が集中する小径部分４５ｂが形成される。図１〜図５の例では、第１および第２変形部２２ａ，２２ｂは、それらの軸線方向中間部に小径部分４５ａ，４５ｂがそれぞれ形成され、第２幅方向Ｅに垂直な断面形状が略Ｉ字状である。
【００５０】
具体的には、第１および第２変形部２２ａ，２２ｂの軸線方向中間部には、第２幅方向Ｅ両端部間にわたって、厚み方向Ｃ両側から軸線に向けてＶ字状に没入する溝が形成される。これによって第１および第２変形部２２ａ，２２ｂに、小径部分４５ａ，４５ｂが形成される。第１および第２変形部２２ａ，２２ｂは、軸線方向に垂直な断面形状が長方形状であってもよいし、円形状であってもよい。さらに第１および第２変形部２２ａ，２２ｂの小径部分は、周方向全周にわたって形成されてもよいし、周方向の一部に形成されてもよい。
【００５１】
またハウジング１２には、変形部２２近傍に接着剤が充填可能な複数の凹所が形成される。第１光源保持部２０ａには、第１変形部２２ａ近傍に、２つの凹所が形成される。第１光源保持部２０ａの各凹所は、厚み方向Ｃに関して第１変形部２２ａを挟む位置に配置される。第１光源保持部２０ａの各凹所のうち、一方の凹所４６ａは、厚み方向Ｃ一方側に開放し、他方の凹所（図示せず）は、厚み方向Ｃ他方側に開放する。
【００５２】
第２光源保持部２０ｂには、第２変形部２２ａ近傍に、２つの凹所が形成される。第２光源保持部２０ｂの各凹所は、厚み方向Ｃに関して第２変形部２２ｂを挟む位置に配置される。第２光源保持部２０ｂの各凹所のうち、一方の凹所４６ｂは、厚み方向Ｃ一方側に開放し、他方の凹所４６ｃは、厚み方向Ｃ他方側に開放する。
【００５３】
導光手段保持部２１の一側部２１ａには、第１変形部２２ａ近傍に、２つの凹所が形成される。第１変形部２２ａ近傍の各凹所は、厚み方向Ｃに関して第１変形部２２ａを挟む位置に配置される。第１変形部２２ａ近傍の各凹所のうち、一方の凹所４６ｄは、厚み方向Ｃ一方側に開放し、他方の凹所（図示せず）は、厚み方向Ｃ他方側に開放する。
【００５４】
また導光手段保持部２１の一側部２１ａには、第２変形部２２ｂ近傍に、２つの凹所が形成される。第２変形部２２ｂ近傍の各凹所は、厚み方向Ｃに関して第２変形部２２ｂを挟む位置に配置される。第２変形部２２ｂ近傍の各凹所のうち、一方の凹所４６ｅは、厚み方向Ｃ一方側に開放し、他方の凹所４６ｆは、厚み方向Ｃ他方側に開放する。以下、ハウジング１２に形成される複数の凹所のうち、少なくともいずれか１つを指すとき、凹所４６と表記する場合がある。
【００５５】
調整ねじ部材１６によって、光源保持部２０の導光手段保持部２１に対する位置を調整した後に、凹所４６に接着剤４７（図１参照）が充填される。凹所４６に加えて、変形部２２自体にも接着剤４７が塗布される。これによって光源保持部２０、導光手段保持部２１および変形部２２が相互に固定される。したがって光源保持部２０が導光手段保持部２１に対して変位することが防がれ、調整後の光源保持部２０の導光手段保持部２１に対する位置が確実に保持される。
【００５６】
調整ねじ部材１６が、調整ねじ孔４１に対して第１幅方向Ｄに変位するように回動されると、光源保持部２０は、角変位軸線Ｌ２０まわりに角変位する。角変位軸線Ｌ２０は、第２幅方向Ｅに平行であり、かつ光源２５と変形部２２の小径部分４５とを通る軸線である。調整ねじ部材１６が、調整ねじ孔４１に対して、第１幅方向Ｄ一方側に向けて変位するように螺進されると、光源保持部２０は、角変位軸線Ｌ２０まわりの第１角変位方向Ｆ１に角変位する。第１角変位方向Ｆ１は、変形部２２の厚み方向Ｃ一端部が、導光手段保持部２１の一側部２１ａに近接する方向である。
【００５７】
調整ねじ部材１６が、調整ねじ孔４１に対して、第１幅方向Ｄ他方側に向け変位するように螺退されると、光源保持部２０は、角変位軸線Ｌ２０まわりの第１角変位方向Ｆ１と反対側の第２角変位方向Ｆ２に角変位する。光源保持部２０を導光手段保持部２１に対して角変位させるとき、第１および第２変形部２２ａ，２２ｂは、小径部分を有するので、この小径部分で屈曲し、容易に変形される。
【００５８】
本実施の形態では、光源保持部２０および板ばね部材１７のいずれか一方に、調整ねじ部材１６を当接する当接部５０（図７および図８参照）が設けられる。調整ねじ部材１６が、調整ねじ孔４１に対して螺退されると、第１幅方向Ｄ他方側で前記当接部５０に当接する。また光源保持部２０は、調整ねじ部材１６によって位置調整を行うにあたって、導光手段保持部２１に対して第２角変位方向Ｆ２にわずかに角変位された状態で、変形部２２によって導光手段保持部２１に連結される。
【００５９】
図７は、光軸Ｌ２５と、コリメートレンズ３５の軸線Ｌ３５との関係の一例を説明するための図である。図８は、光軸Ｌ２５と、コリメートレンズ３５の軸線Ｌ３５との関係の他の例を説明するための図である。図９は、光軸Ｌ２５と、コリメートレンズ３５の軸線Ｌ３５との関係のさらに他の例を説明するための図である。図７〜図９において、図解を容易にするために、ハウジング１２およびレーザユニット１３などの各構成を部分的に省略している。また図７〜図９において、記録媒体１１、コリメートレンズ３５および対物レンズ３７は、図解を容易にするために、便宜上、一直線上に並ぶように示している。
【００６０】
光源２５のコリメートレンズ３５に対する位置を調整するにあたって、レーザユニット１３を、光源保持部２０に対して２次元座標系のＸ軸およびＹ軸に沿って変位させる。これによって光源２５が２次元座標系において原点に配置される。換言するとコリメートレンズ３５の軸線Ｌ３５が光源２５を通るように、光源２５の光源保持部２０に対する位置が調整される。さらにキャップ２８をレーザホルダ２９の内周部に沿って変位させることによって、光源２５が、２次元座標系においてＸ軸およびＹ軸に垂直なＺ軸まわりに角変位される。これによって光軸Ｌ２５が、コリメートレンズ３５の軸線Ｌ３５を含み、かつ第２幅方向Ｅに垂直な平面に含まれるように変位される。
【００６１】
光源２５のコリメートレンズ３５に対する位置を、２次元座標系が設定される一仮想平面内において調整した場合であっても、たとえば図７に示すように、光軸Ｌ２５が、コリメートレンズ３５の軸線Ｌ３５に対して、０よりも大きい角度を成して傾いている場合がある。この場合、光軸Ｌ２５は、光源２５を中心として、コリメートレンズ３５の軸線Ｌ３５に対して、あおられた状態にある。具体的には光軸Ｌ２５は、光源２５を中心として、コリメートレンズ３５の軸線Ｌ３５に対して、第１角変位方向Ｆ１および第２角変位方向Ｆ２に角変位された状態で配置される。
【００６２】
光軸Ｌ２５が、コリメートレンズ３５の軸線Ｌ３５に対して、第１角変位方向Ｆ１に角変位して傾いた状態では、調整ねじ部材１６を螺退するように回動させる。調整ねじ部材１６が螺退されると、当接部５０に当接する。光源保持部２０は、調整ねじ部材１６と当接部５０との当接によって、調整ねじ部材１６が螺退されるのに伴って、導光手段保持部２１に対して第２角変位方向Ｆ２に角変位される。このとき第１変形部２２ａは、第１光源保持部２０ａ寄りの軸線方向一端部が第２角変位方向Ｆ２に変位するように、軸線方向中間部で変形する。さらにこのとき第２変形部２２ｂは、第２光源保持部２０ｂ寄りの軸線方向一端部が第２角変位方向Ｆ２に変位するように、軸線方向中間部で変形する。
【００６３】
光源保持部２０が導光手段保持部２１に対して角変位されると、光軸Ｌ２５が、第２角変位方向Ｆ２に角変位されて、コリメートレンズ３５の軸線Ｌ３５に対する傾きが調整される。これによって光軸Ｌ２５は、図８に示すように、コリメートレンズ３５の軸線Ｌ３５と対物レンズ３７の軸線とに一致するように配置される。
【００６４】
光軸Ｌ２５が、コリメートレンズ３５の軸線Ｌ３５に対して、第２角変位方向Ｆ２に角変位して傾いた状態では、調整ねじ部材１６を螺進するように回動させる。調整ねじ部材１６が螺進されると、光源保持部２０は、調整ねじ部材１６が螺進されるのに伴って、導光手段保持部２１に対して第１角変位方向Ｆ１に角変位される。このとき第１変形部２２ａは、第１光源保持部２０ａ寄りの軸線方向一端部が第１角変位方向Ｆ１に変位するように、軸線方向中間部で変形する。さらにこのとき第２変形部２２ｂは、第２光源保持部２０ｂ寄りの軸線方向一端部が第１角変位方向Ｆ１に変位するように、軸線方向中間部で変形する。
【００６５】
前記変形部２２は、第２幅方向Ｅに延びて配置される溝によって小径部分４５が形成される。これによって光源保持部２０を、導光手段保持部２１に対して、角変位軸線Ｌ２０まわりに角変位させるときに、変形部２２が小径部分４５で容易に変形させることができる。したがって光源２５のコリメートレンズ３５に対する位置を容易に調整することができる。
【００６６】
光源保持部２０が導光手段保持部２１に対して角変位されると、光軸Ｌ２５が、第１角変位方向Ｆ１に角変位されて、コリメートレンズ３５の軸線Ｌ３５に対する傾きが調整される。これによって光軸Ｌ２５は、図９に示すように、コリメートレンズ３５の軸線Ｌ３５と対物レンズ３７の軸線とに一致するように配置される。
【００６７】
このように光軸Ｌ２５がコリメートレンズ３５の軸線Ｌ３５に対して傾いている場合であっても、光源保持部２０と導光手段保持部２１とを、相対的に角変位させることによって、光軸Ｌ２５とコリメートレンズ３５の軸線Ｌ３５とが一致させることができる。これによってハウジング１２とレーザユニット１３との取付け面の精度、および光源２５からの光の放射角度のばらつきなどの誤差要因があっても、精度の高い位置調整を実現することができる。
【００６８】
また光の強度が最も高い部分が、コリメートレンズ３５に対してずれることなく、コリメートレンズ３５の軸線が通る位置に配置されるので、光源２５からの光を有効に利用して、対物レンズ３７で集光することができる。したがって結合効率を向上することができる。また光軸Ｌ２５が、コリメートレンズ３５に対してずれた位置に配置されることが防がれるので、品位のあるスポットおよび最良のジッター値を得ることができる。
【００６９】
本実施の形態によれば、光源２５からの光を、導光手段１４によって記録媒体１１に導いて照射することによって、記録媒体１１に対して、情報が記録され、または再生される。光源２５は、ハウジング１２の光源保持部２０によって保持される。導光手段１４は、ハウジング１２の導光手段保持部２１によって保持される。ハウジング１２は、変形部２２を有し、この変形部２２は、光源保持部２０および導光手段保持部２１が相対的に角変位するように、調整ねじ部材１６によって変形される。
【００７０】
調整ねじ部材１６によって変形部２２を変形させると、光源保持部２０および導光手段２１が、相対的に角変位する。この角変位によって光源２５が、導光手段保持部２１、すなわち導光手段１４に対して角変位するので、光源２５からの光の光軸Ｌ２５を、導光手段１４に対して角変位させることができる。これによって光軸Ｌ２５が通る光の強度の最も高い部分を、有効に利用することができる。したがって結合効率を向上することができるとともに、たとえば強度分布が一様など品位のあるスポットと、最良のジッター値とを得ることができる。
【００７１】
また本実施の形態によれば、光源２５は、ハウジング１２の光源保持部２０に対して位置調整可能に保持される。これによって万一、光軸Ｌ２５と導光手段１４のコリメートレンズ３５の軸線Ｌ３５とが平行であるけれども、一致しない場合であっても、光源２５を光源保持部２０に対して位置調整することによって、確実に一致させることができる。また光源２５の光源保持部２０に対する位置調整と、光源２５の導光手段保持部２１に対する位置調整とを、相互に独立して行うことができる。これによって必要に応じて、光源２５の位置調整を行うことができる。さらに光源保持部２０および導光手段保持部２１のいずれか一方に対して、光源２５の位置を調整するときに、光源２５の他方に対する位置がずれるなどの不具合を解消することができる。
【００７２】
また本実施の形態によれば、前記調整ねじ部材１６は、光源保持部２０および導光手段保持部２１にわたって設けられ、回動することによって変形部２２を変形させるねじ部材である。ハウジング１２の光源保持部２０には、板ばね部材１７が、ねじ部材である調整ねじ部材１６によって保持される。光源保持部２０と板ばね部材１７とは、光源２５を弾発的に挟持して保持する。これによって光源２５の光源保持部２０に対する位置調整と、光源保持部２０の導光手段保持部２１に対する位置調整、すなわち光源２５の導光手段保持部２１に対する位置調整とを、簡単な構成で実現することができる。
【００７３】
また本実施の形態によれば、変形部２２は、光源２５を中心に対称に形成される。これによって光源２５の導光手段保持部２１に対する位置を調整する場合に、変形部２２が光源２５を中心に対称に形成されない場合に比べて、光源２５の導光手段保持部２１に対する変位量を小さくすることができる。したがってハウジング１２の変形に伴う光源２５の導光手段１４に対する位置調整を、容易に実現することができる。
【００７４】
また本実施の形態によれば、変形部２２は、光源２５を挟んで両側の２カ所に形成される。これによって光源２５の導光手段１４に対する位置を、２つの変形部２２を結ぶ一仮想直線まわりに変化させることができる。したがって簡単な構成で、光の光軸Ｌ２５を、導光手段１４に対して変位させることができる。
【００７５】
また本実施の形態によれば、変形部２２は、応力が集中する小径部分４５が形成される。これによって変形部２２を小さな力で変形させて、光源２５の導光手段１４に対する位置を調整することができる。
【００７６】
また本実施の形態によれば、ハウジング１２には、変形部２２近傍に接着剤４７を充填可能な凹所４６が形成される。これによって変形部２２を変形させて、光源２５の導光手段１４に対する位置を調整した後に、変形部２２を接着剤４７によって確実に固定することができる。したがって光源２５の導光手段１４に対する位置がずれるなどの不具合を解消することができる。
【００７７】
また本実施の形態によれば、電子機器には、前述の光学ピックアップ装置１０が搭載されるので、利便性の高い光学ピックアップ装置１０を備える電子機器を実現することができる。
【００７８】
図１０は、本発明の他の実施の形態である光学ピックアップ装置１０Ａを示す正面図である。図１１は、光学ピックアップ装置１０Ａの一部を切欠いて示す断面図である。図１２は、光学ピックアップ装置１０Ａの一部を光源２５Ａ側から見て示す平面図である。図１３は、図１０のセクションＳ１３を拡大して示す分解平面図である。本実施の形態の光学ピックアップ装置１０Ａにおいて、前述の光学ピックアップ装置１０と同様の構成には、同一の参照符号を付し、効果などの同様の説明は省略する。本実施の形態の光学ピックアップ装置１０Ａは、レーザユニット１３の代わりに、光源２５Ａが単体で用いられるディスクリート形の光学ピックアップ装置である。また本実施の形態の光学ピックアップ装置１０Ａにおいて、第１幅方向Ｄは、導光手段１４Ａの各種のレンズのうち、光源２５Ａに対向するレンズの軸線、すなわちグレーティングレンズ５５の軸線Ｌ５５に平行な方向である。
【００７９】
光源２５Ａは、前述の実施の形態におけるレーザホルダ２９を介することなく、光源保持部２０に直接設けられる。また受光素子２６は、前述の実施の形態では、光源２５Ａとともに一体に設けられる構成であったけれども、本実施の形態では、導光手段保持部２１に保持される。導光手段１４Ａは、ホログラム３０の代わりに、グレーティングレンズ５５、ビームスプリッタ５６およびスポット調整レンズ５７を有する。
【００８０】
グレーティングレンズ５５は、光源２５Ａに対向して設けられる。グレーティングレンズ５５は、回折格子を有し、入射される光を複数本の光に分ける。ビームスプリッタ５６は、グレーティングレンズ５５に対向するとともに、コリメートレンズ３５とスポット調整レンズ５７との間に配置される。ビームスプリッタ５６は、任意の方位の直線偏光の光が入射したとき、その直線偏光をＰ方位成分とＳ方位線分と分離して、Ｐ方位成分は透過させるとともに、Ｓ方位成分を９０度反射させる。スポット調整レンズ５７は、光を集光するためのレンズであって、ビームスプリッタ５６と受光素子２６との間に配置される。
【００８１】
光源２５Ａからの光は、グレーティングレンズ５５によって回折されて、ビームスプリッタ５６に導かれる。グレーティングレンズ５５からの光は、ビームスプリッタ５６によって反射されて、コリメートレンズ３５に導かれる。コリメートレンズ３５を透過した光は、対物レンズ３７によって集光され、記録媒体１１に照射される。
【００８２】
記録媒体１１から反射された光は、対物レンズ３７およびコリメートレンズ３５を透過して、ビームスプリッタ５６に導かれる。ビームスプリッタ５６では、反射されずにそのまま透過して、スポット調整レンズ５７に導かれる。光は、スポット調整レンズ５７によって集光されて、受光素子２６に導かれる。受光素子２６は、受光結果に基づいて、情報信号およびサーボ信号を検出する。受光素子２６による検出結果に基づいて、情報の記録または再生が行われる。
【００８３】
光源２５Ａは、板ばね部材１７Ａと光源保持部２０とに挟持される状態で、保持される。板ばね部材１７Ａは、係止ねじ部材４３によって第１光源保持部２０ａに保持される部分６０と、調整ねじ部材１６によって第２光源保持部２０ｂに保持される部分６１とを有し、各部分６０，６１が別体に構成される。光源２５Ａは、光源保持部２０に対して、前記２次元座標系におけるＸ軸およびＹ軸方向への変位可能に、かつＸ軸およびＹ軸に垂直なＺ軸まわりに角変位可能に保持される。これによってグレーティングレンズ５６の軸線が光源２５Ａを通るとともに、光軸Ｌ２５が、第２幅方向Ｅに垂直かつグレーティングレンズ５６の軸線を含む平面に含まれるように、光源２５Ａの位置が調整される。
【００８４】
このように構成される光学ピックアップ装置１０Ａにおいて、前述のように、調整ねじ部材１６によって光源保持部２０と導光手段保持部２１とを相対的に角変位させることによって、光源２５のグレーティングレンズ５５に対する位置を調整することができる。これによって光軸Ｌ２５がグレーティングレンズ５５の軸線に対して傾いている場合であっても、光軸Ｌ２５とグレーティングレンズ５５の軸線とを一致させることができる。
【００８５】
光源２５のグレーティングレンズ５５に対する位置調整の後に、光源２５Ａと光源保持部２０とが接着剤５９によって相互に固定される。さらに変形後の変形部２２および変形部２２近傍に接着剤４７が塗布されて、光源保持部２０、導光手段保持部２１および変形部２２が相互に固定される。
【００８６】
図１４は、変形部２２の他の例である変形部６５を示す断面図である。図１５は、図１４に示す変形部６５を拡大して示す平面図である。図１６は、変形部２２のさらに他の例である変形部６７を示す断面図である。図１７は、図１６に示す変形部６７を拡大して示す平面図である。図１４および図１６において、第１および第２変形部のうち第２変形部だけを示している。前述の各実施の形態の光学ピックアップ装置１０，１０Ａにおける変形部２２は、Ｖ字状の溝によって実現されていたけれども、図１４および図１５に示す変形部６５であってもよい。
【００８７】
図１４および図１５に示す変形部６５には、その軸線方向中間部に、第２幅方向Ｅ両端部間にわたって、厚み方向Ｃ両側から軸線に向けてＵ字状に没入する溝が形成される。これによって変形部６５に小径部分６６が形成される。換言すると第１変形部６５ａに、小径部分６６ａが形成されるとともに、第２変形部６５ｂに、小径部分６６ｂが形成される。
【００８８】
また前述の各実施の形態の光学ピックアップ装置１０，１０Ａにおける変形部２２は、図１６および図１７に示す変形部６７であってもよい。図１６および図１７に示す変形部６７には、その軸線方向中間部に、第２幅方向Ｅ両端部間にわたって、厚み方向Ｃ両側から軸線に向けてコの字状に没入する溝が形成される。これによって変形部６７に小径部分６８が形成される。換言すると第１変形部６６ａに、小径部分６８ａが形成されるとともに、第２変形部６６ｂに、小径部分６８ｂが形成される。
【００８９】
また前述の各実施の形態の光学ピックアップ装置１０，１０Ａにおいて、変形部２２および調整ねじ部材１６は、角変位軸線Ｌ２０に垂直な方向に並んで配置されていてもよい。変形部２２、具体的には第１変形部２２ａと、調整ねじ部材１６とは、角変位軸線Ｌ２０に垂直な方向に並んで配置される。詳細には、第１変形部２２ａおよび調整ねじ部材１６は、図４の仮想線７０に示すように、厚み方向Ｃに並んで配置される。また調整ねじ部材１６は、第１変形部２２ａを中心にした円、具体的には角変位軸線Ｌ２０に垂直な一仮想平面に含まれる円の接線方向、すなわち第１幅方向Ｄに配置される。変形部２２の軸線は、第１変形部２２ａと調整ねじ部材１６とを結ぶ方向に対して垂直な方向、すなわち第１幅方向Ｄに配置されている。
【００９０】
変形部２２および調整ねじ部材１６を、角変位軸線Ｌ２０に垂直な方向に並べて配置することによって、変形部２２に厚み方向Ｃの回転モーメントを作用させることができる。これによって調整ねじ部材１６を螺進および螺退させるときに、第２幅方向Ｅの成分を有する回転モーメントが、発生することを防止して、厚み方向Ｃの回転モーメントを発生させることができる。したがって変形部２２を除く部分、たとえば調整ねじ部材１６、光源保持部２０および導光手段保持部２１などの変形を可及的に小さくすることができるとともに、調整ねじ部材１６によるハウジング１２への荷重を小さくしたうえで、変形部２２の小径部分４５だけを容易に変形させることができる。
【００９１】
前述の各実施の形態は、本発明の例示に過ぎず、発明の範囲内において構成を変更してもよい。たとえば変形部は、前述の各実施の形態では２つであったけれども、光源を中心に対称に設けられる構成であれば、３つ以上であってもよい。また変形部は、調整ねじ部材によって変形されるとき、塑性変形する材料から成っていてもよいし、弾性変形する材料から成っていてもよい。また変形部２２近傍の凹所４６は、光源保持部２０および導光手段保持部２１において、厚み方向両端部のうち少なくともいずれか一方に形成される構成であってもよいし、厚み方向Ｃに貫通して形成される構成であってもよい。
【００９２】
【発明の効果】
本発明によれば、光源からの光を、導光手段によって記録媒体に導いて照射することによって、記録媒体に対して、情報が記録され、または再生される。光源は、ハウジングの光源保持部によって保持される。導光手段は、ハウジングの導光手段保持部によって保持される。ハウジングは、変形部を有し、この変形部は、光源保持部および導光手段保持部が相対的に角変位するように、変形手段によって変形される。
【００９３】
変形手段によって変形部を変形させると、光源保持部および導光手段が、相対的に角変位する。この角変位によって光源が、導光手段保持部、すなわち導光手段に対して角変位されるので、光の光軸を、導光手段に対して角変位させることができる。これによって前記光軸が通る光の強度の最も高い部分を有効に利用することができる。したがって結合効率を向上することができるとともに、たとえば強度分布が一様など品位のあるスポットと、最良のジッター値とを得ることができる。
【００９４】
また本発明によれば、光源は、ハウジングの光源保持部に対して位置調整可能に保持される。これによって万一、光軸と導光手段の軸線とが平行であるけれども、一致しない場合であっても、光源を光源保持部に対して位置調整することによって、確実に一致させることができる。また光源の光源保持部に対する位置調整と、光源の導光手段保持部に対する位置調整とを、相互に独立して行うことができる。これによって必要に応じて、光源の位置調整を行うことができる。さらに光源保持部および導光手段保持部のいずれか一方に対して、光源の位置を調整するときに、光源の他方に対する位置がずれるなどの不具合を解消することができる。
【００９５】
また本発明によれば、前記変形手段は、光源保持部および導光手段保持部にわたって設けられ、回動することによって変形部を変形させるねじ部材である。ハウジングの光源保持部には、弾性変形部材が、ねじ部材である変形手段によって保持される。光源保持部と弾性変形部材とは、光源を弾発的に挟持して保持する。これによって光源の光源保持部に対する位置調整と、光源保持部の導光手段保持部に対する位置調整、すなわち光源の導光手段保持部に対する位置調整とを、簡単な構成で実現することができる。
【００９６】
また本発明によれば、変形部は、光源を中心に対称に形成される。これによって光源の導光手段保持部に対する位置を調整する場合に、変形部が光源を中心に対称に形成されない場合に比べて、光源の導光手段保持部に対する変位量を小さくすることができる。したがってハウジングの変形に伴う光源の導光手段に対する位置調整を、容易に実現することができる。
【００９７】
また本発明によれば、変形部は、光源を挟んで両側の２カ所に形成される。これによって光源の導光手段に対する位置を、２つの変形部を結ぶ一直線まわりに変化させることができる。したがって簡単な構成で、光源からの光の光軸を、導光手段に対して変位させることができる。
【００９８】
また本発明によれば、変形部は、応力が集中する小径部分が形成される。これによって変形部を小さな力で変形させて、光源の導光手段に対する位置を調整することができる。
【００９９】
また本発明によれば、変形部および変形手段が、前記角変位の軸線に垂直な方向に並んで配置されるので、光源保持部と導光手段保持部とを角変位させるときに、変形部を除く部分の変形を可及的に小さくし、かつ小さな力で変形部を変形させることができる。
【０１００】
また本発明によれば、ハウジングには、変形部近傍に接着剤を充填可能な凹所が形成される。これによって変形部を変形させて、光源の導光手段に対する位置を調整した後に、変形部を接着剤によって確実に固定することができる。したがって調整後の光源の導光手段に対する位置がずれるなどの不具合を解消することができる。
【０１０１】
また本発明によれば、電子機器には、前述の光学ピックアップ装置が搭載されるので、利便性の高い光学ピックアップ装置を備える電子機器を実現することができる。
【図面の簡単な説明】
【図１】本発明の実施の一形態である光学ピックアップ装置１０を示す正面図である。
【図２】光学ピックアップ装置１０の一部を切欠いて示す断面図である。
【図３】光学ピックアップ装置１０の一部をレーザユニット１３側から見て示す平面図である。
【図４】図１のセクションＳ４を拡大して示す分解平面図である。
【図５】図１の切断面線Ｓ５−Ｓ５から見た断面図である。
【図６】図４の切断面線Ｓ６−Ｓ６から見た断面図である。
【図７】光軸Ｌ２５と、コリメートレンズ３５の軸線Ｌ３５との関係の一例を説明するための図である。
【図８】光軸Ｌ２５と、コリメートレンズ３５の軸線Ｌ３５との関係の他の例を説明するための図である。
【図９】光軸Ｌ２５と、コリメートレンズ３５の軸線Ｌ３５との関係のさらに他の例を説明するための図である。
【図１０】本発明の他の実施の形態である光学ピックアップ装置１０Ａを示す正面図である。
【図１１】光学ピックアップ装置１０Ａの一部を切欠いて示す断面図である。
【図１２】光学ピックアップ装置１０Ａの一部を光源２５Ａ側から見て示す平面図である。
【図１３】図１０のセクションＳ１３を拡大して示す分解平面図である。
【図１４】変形部２２の他の例である変形部６５を示す断面図である。
【図１５】図１４に示す変形部６５を拡大して示す平面図である。
【図１６】変形部２２のさらに他の例である変形部６７を示す断面図である。
【図１７】図１６に示す変形部６７を拡大して示す平面図である。
【図１８】第１の従来技術の光学ピックアップ装置１を示す正面図である。
【図１９】ハウジング２の一部を切欠いて示す断面図である。
【図２０】光学ピックアップ装置１を光源４側から見て示す平面図である。
【図２１】図１８のセクションＳ２１を拡大して示す分解平面図である。
【図２２】第２の従来技術の光学ピックアップ装置５を示す正面図である。
【図２３】ハウジング６の一部を切欠いて示す断面図である。
【図２４】光学ピックアップ装置５を光源７側から示す平面図である。
【図２５】図２１のセクションＳ２５を拡大して示す分解平面図である。
【符号の説明】
１０，１０Ａ  光学ピックアップ装置
１１  記録媒体
１２  ハウジング
１４  導光手段
１６  調整ねじ部材
２０  光源保持部
２１  導光手段保持部
２２，６５，６７  変形部
２５  光源
【図１】
2004253094.tif 000003
【図２】
2004253094.tif 000004
【図３】
2004253094.tif 000005
【図４】
2004253094.tif 000006
【図５】
2004253094.tif 000007
【図６】
2004253094.tif 000008
【図７】
2004253094.tif 000009
【図８】
2004253094.tif 000010
【図９】
2004253094.tif 000011
【図１０】
2004253094.tif 000012
【図１１】
2004253094.tif 000013
【図１２】
2004253094.tif 000014
【図１３】
2004253094.tif 000015
【図１４】
2004253094.tif 000016
【図１５】
2004253094.tif 000017
【図１６】
2004253094.tif 000018
【図１７】
2004253094.tif 000019
【図１８】
2004253094.tif 000020
【図１９】
2004253094.tif 000021
【図２０】
2004253094.tif 000022
【図２１】
2004253094.tif 000023
【図２２】
2004253094.tif 000024
【図２３】
2004253094.tif 000025
【図２４】
2004253094.tif 000026
【図２５】
2004253094.tif 000027